【手続補正書】
【提出日】平成19年12月20日(2007.12.20)
【手続補正１】
【補正対象書類名】明細書
【補正対象項目名】００１８
【補正方法】変更
【補正の内容】
【００１８】
Ｘ線制御室２には、本Ｘ線撮像システムの全体的な動作を制御するシステム制御器３１、操作者インタフェース３２、ディスプレイモニタ３３が配置されている。システム制御器３１には、前述の撮像制御器３４、例えばＲＡＩＤ等のハードディスクアレーから成る画像処理器３５、処理された基本画像データを記憶する大容量高速の記憶装置３６、モニタ３３を制御して種々の文字及び画像を表示させる表示制御器３７、例えば光磁気ディスク等の大容量の外部記憶装置３８、Ｘ線制御室２の装置と診断・操作室３の装置を接続し、Ｘ線室１での撮影画像等を診断・操作室３の装置に転送するＬＡＮボード３９が内蔵されている。
【手続補正２】
【補正対象書類名】明細書
【補正対象項目名】００１９
【補正方法】変更
【補正の内容】
【００１９】
インタフェース３２は、Ｘ線曝射要求スイッチ、タッチパネル、マウス、キーボード、ジョイスティック及びフットスイッチ等から成り、操作者Ｏが種々の指令をシステム制御器３１に入力するために使用される。操作者Ｏの指示内容は、例えば静止画／動画、Ｘ線管電圧、管電流及びＸ線照射時間等の撮影条件、撮影タイミング、画像処理条件、被検者ＩＤ及び取込画像の処理方法等がある。撮像制御器３４はＸ線室１に置かれたＸ線発生器１１、撮影用寝台１５、駆動器２１、中継器２３に接続され、画像処理器３５はＸ線室１の駆動器２１、中継器２３と接続され、Ｘ線撮像系による画像を画像処理する。画像処理器３５における画像処理は、例えば画像データの補正、空間フィルタリング、リカーシブ処理、階調処理、散乱線補正及びダイナミックレンジ（ＤＲ）圧縮処理等が挙げられる。
【手続補正３】
【補正対象書類名】明細書
【補正対象項目名】００２５
【補正方法】変更
【補正の内容】
【００２５】
Ｘ線露光量モニタ２０は光検出器アレー１９を透過したＸ線量に比例した過視光を検出し、その検出量情報を撮像制御器３４に供給する。撮像制御器３４はこのＸ線露光量情報に基づいて高圧発生電源１３を制御して、Ｘ線を遮断又は調節する。駆動器２１は撮像制御器３４の制御の下で光検出器アレー１９を駆動し、光検出器アレー１９の各素子から画素信号を読み出す。
【手続補正４】
【補正対象書類名】明細書
【補正対象項目名】００２９
【補正方法】変更
【補正の内容】
【００２９】
図２は光検出器アレー１９の構成単位の等価回路の一例を示す。１素子は光検出部５１と電荷の蓄積及び読み取りを制御するスイッチングＴＦＴ（薄膜トランジスタ）５２から成り、一般にはガラス基板上にアモルファスシリコン（ａ−Ｓｉ）により形成されている。光検出部５１は更に光ダイオード５１ａとコンデンサ５１ｂの並列回路から成り、光電効果による電荷をセンサ内電流源５３として記述している。コンデンサ５１ｂは光ダイオード５１ａの寄生容量でも、光ダイオード５１ａのダイナミックレンジを改善する追加的なコンデンサでもよい。光ダイオード５１ａのカソードは、共通電極（Ｄ電極）であるバイアス配線Ｌｂを介してバイアス電源５４に接続されている。光ダイオード５１ａのアノードは、ゲート電極ＧからスイッチングＴＦＴ５２を介してコンデンサ５５及び電荷読出用プリアンプ５６に接続されている。プリアンプ５６の入力はリセット用スイッチ５７及び信号線バイアス電源５８を介してアースに接続されている。
【手続補正５】
【補正対象書類名】明細書
【補正対象項目名】００３０
【補正方法】変更
【補正の内容】
【００３０】
先ず、スイッチングＴＦＴ５２とリセット用スイッチ５７を一時的にオンにして、コンデンサ５１ｂをリセットし、スイッチングＴＦＴ５２とリセット用スイッチ５７をオフにする。その後に、Ｘ線を発生させて被検体Ｓに曝射する。被検体Ｓを透過したＸ線像をシンチレータ１８が可視光像に変換し、光ダイオード５１ａはその可視光像により導通状態になり、コンデンサ５１ｂの電荷を放電させる。スイッチングＴＦＴ５２をオンにして、コンデンサ５１ｂとコンデンサ５５を接続する。これにより、コンデンサ５１ｂの放電量の情報がコンデンサ５５にも伝達され、更にプリアンプ５６によりコンデンサ５５の蓄積電荷による電圧の増幅又は点線で示したコンデンサ５９により電荷−電圧変換され外部に出力される。
【手続補正６】
【補正対象書類名】明細書
【補正対象項目名】００６１
【補正方法】変更
【補正の内容】
【００６１】
図６は画像処理器３５のブロック回路構成図であり、駆動器２１からの信号はマルチプレクサ８１で二岐され、それぞれＸ線画像用フレームメモリ８２、暗画像用フレームメモリ８３に接続され、これらのメモリ８２、８３の出力はオフセット補正回路８４に接続されている。オフセット補正回路８４の出力はゲイン補正回路８５、欠陥補正回路８６、画像処理回路８７を経て、外部の表示制御器３７に接続されている。なお、ゲイン補正回路８５にはゲイン補正用フレームメモリ８８が接続されている。
【手続補正７】
【補正対象書類名】明細書
【補正対象項目名】００６４
【補正方法】変更
【補正の内容】
【００６４】
図７は薄型Ｘ線検出器２２と中継器２３のブロック回路構成図を示し、薄型Ｘ線検出器２２内にはＭＰＵ９１、データ駆動制御部９２、画像メモリ９３、無線通信モジュール９４、外部接続コネクタ９５、電源９６が設けられている。ＭＰＵ９１は薄型Ｘ線検出器２２内の様々な動作、状態を制御し、ＭＰＵ９１の内部には後述する個別通信キーを唯一つ記憶する個別通信キーレジスタ９７やその個別ＩＤキーの有効期間を監視する有効期間カウンタ９８がソフトウェアにより構成されている。
【手続補正８】
【補正対象書類名】明細書
【補正対象項目名】００６８
【補正方法】変更
【補正の内容】
【００６８】
中継器２３内には、ＭＰＵ１０１、画像データフロー制御器１０２、画像メモリ１０３、充電器１０４が設けられている。ＭＰＵ１０１は中継器２３内の制御を行うと共に、複数の薄型Ｘ線検出器２２の制御を行う。ＭＰＵ１０１の内部には、後述する個別通信キーを接続可能な薄型Ｘ線検出器２２の台数分を記憶する個別通信キーレジスタ１０５や、その個別ＩＤキーの有効期間を監視する有効期間カウンタ１０６、更には固有通信キー割付のための通信キー用カウンタ１０７がソフトウェアにより構成されている。
【手続補正９】
【補正対象書類名】明細書
【補正対象項目名】００６９
【補正方法】変更
【補正の内容】
【００６９】
画像データフロー制御器１０２はＭＰＵ１０１の指示に基づいて、薄型Ｘ線検出器２２から送られてくるＸ線画像の転送を制御する。画像メモリ１０３は揮発性メモリでＤＲＡＭで構成されるフレームバッファ用途のメモリである。特に、無線通信時等は誤り訂正の発生や画像再送の必要性が生ずる可能性があり、画像転送が完了前にシステム制御器３１にデータを流し初めてしまうと、システム制御器３１内での制御が煩雑になるので、薄型Ｘ線検出器２２と中継器２３との画像転送が完了した後に、システム制御器３１へ画像を転送するために画像メモリ１０３が必要となる。充電器１０４は薄型Ｘ線検出器２２の電源９６を急速に充電するに足る十分な容量、例えば３０秒程度で５００ｍＷｈ程度の容量を充電できる能力を確保しなければならない。
【手続補正１０】
【補正対象書類名】図面
【補正対象項目名】図７
【補正方法】変更
【補正の内容】
【図７】
2002191586.tif 000001